(57)【要約】【課題】冗長なトンネルの構成を回避し、遅延を低減させることができる移動通信方法及びその方法で用いられるエッジ装置を提供する。【解決手段】エッジ装置が、モバイルルータのアドレス及びモバイルルータにおける新たな移動端末のアドレスを取得するステップと、エッジ装置が、取得されたモバイルルータのアドレスが自身の所定の記憶領域に存在するか否かを判断するステップと、アドレスが存在する場合に、エッジ装置が、移動端末あてのパケットを新たな移動端末のアドレスでカプセル化し、カプセル化されたパケットのあて先を示すヘッダに取得されたモバイルルータのアドレスを付加し、基地局装置に送信するステップと、基地局装置が、受信したパケットのあて先に基づいて、パケットをモバイルルータに送信するステップとを有する。【選択図】図１
2008085495.tif 000002
【特許請求の範囲】
【請求項１】
移動端末が接続可能な基地局装置と、外部ネットワークの接続点であるエッジ装置とを含むアクセスネットワークで、前記基地局装置に接続するモバイルルータが存在する場合に、前記移動端末が、接続する前記基地局装置から前記モバイルルータにハンドオーバする際の移動通信方法であって、
前記エッジ装置が、前記モバイルルータのアドレス及び前記モバイルルータにおける新たな前記移動端末のアドレスを取得するステップと、
前記エッジ装置が、取得された前記モバイルルータのアドレスが自身の所定の記憶領域に存在するか否かを判断するステップと、
前記アドレスが存在すると判断された場合に、前記エッジ装置が、前記移動端末あてのパケットを前記新たな前記移動端末のアドレスでカプセル化し、カプセル化された前記パケットのあて先を示すヘッダに取得された前記モバイルルータのアドレスを付加し、前記基地局装置に送信するステップと、
前記基地局装置が、受信した前記パケットのあて先に基づいて、前記パケットを前記モバイルルータに送信するステップとを、
有する移動通信方法。
【請求項２】
前記エッジ装置が、前記移動端末あてのパケットを前記新たな前記移動端末のアドレスでカプセル化する際、カプセル化された前記パケットのあて先を示すヘッダに取得された前記モバイルルータのアドレス及び前記移動端末のアドレスを付加し、前記基地局装置に送信し、
前記基地局装置が、受信した前記パケットのあて先に基づいて、前記パケットを前記モバイルルータ及び前記移動端末に送信する移動通信方法。
【請求項３】
移動端末が接続可能な基地局装置と、外部ネットワークの接続点であるエッジ装置とを含むアクセスネットワークで、前記基地局装置に接続するモバイルルータが存在する場合に、前記移動端末が、接続する前記基地局装置から前記モバイルルータにハンドオーバする際の移動通信方法で用いられる前記エッジ装置であって、
前記モバイルルータのアドレス及び前記モバイルルータにおける新たな前記移動端末のアドレスを取得する取得手段と、
取得された前記モバイルルータのアドレスが自身の所定の記憶領域に存在するか否かを判断する判断手段と、
前記アドレスが存在すると判断された場合に、前記移動端末あてのパケットを前記新たな前記移動端末のアドレスでカプセル化し、カプセル化された前記パケットのあて先を示すヘッダに取得された前記モバイルルータのアドレスを付加し、前記基地局装置に送信する制御手段とを、
備えるエッジ装置。
【請求項４】
前記制御手段は、前記移動端末あてのパケットを前記新たな前記移動端末のアドレスでカプセル化する際、カプセル化された前記パケットのあて先を示すヘッダに取得された前記モバイルルータのアドレス及び前記移動端末のアドレスを付加し、前記基地局装置に送信する請求項３に記載のエッジ装置。
【請求項５】
移動端末が接続可能な基地局装置と、外部ネットワークの接続点であるエッジ装置とを含むアクセスネットワークで、前記基地局装置に接続するモバイルルータに接続する前記移動端末が、前記モバイルルータから前記基地局装置にハンドオーバする際の移動通信方法であって、
前記エッジ装置が、前記移動端末のホームエージェントのホストＩＤを取得するステップと、
前記エッジ装置が、前記移動端末のホームエージェントのホストＩＤの取得に基づいて、前記ホームエージェントに自身のアドレス情報を通知するステップと、
前記ホームエージェントが、通知された前記アドレス情報に基づいて前記移動端末へのパケットをカプセル化し、カプセル化された前記パケットを前記エッジ装置に送信するステップとを、
有する移動通信方法。
【請求項６】
移動端末が接続可能な基地局装置と、外部ネットワークの接続点であるエッジ装置とを含むアクセスネットワークで、前記基地局装置に接続するモバイルルータに接続する前記移動端末が、前記モバイルルータから前記基地局装置にハンドオーバする際の移動通信方法で用いられる前記エッジ装置であって、
前記移動端末のホームエージェントのホストＩＤを取得する取得手段と、
前記移動端末のホームエージェントのホストＩＤの取得に基づいて、前記ホームエージェントに自身のアドレス情報を通知する通知手段と、
通知された前記アドレス情報に基づいて前記ホームエージェントによってカプセル化された前記移動端末へのパケットを前記ホームエージェントから受信する受信手段と、
受信された前記パケットをバッファリングする制御手段とを、
備えるエッジ装置。
【発明の詳細な説明】
【技術分野】
【０００１】
本発明は、電車などの乗り物における移動において、個々の移動制御を行うことなくグループとしての移動制御を行う移動通信方法及びその方法で用いられるエッジ装置に関する。
【背景技術】
【０００２】
現在、携帯電話などの移動端末の移動通信においてＩＰ（Internet Protocol）通信における移動制御方法が検討されているが、エリアの限定されたローカルモビリティにおいては、移動端末が移動時にＩＰアドレスの変更を行うことなく移動制御を行う方法が検討されている（ＩＥＴＦ  Ｎｅｔｌｍｍ（Network-based Localized Mobility Management）グループなど（下記の非特許文献１、２を参照））。このような要求においては、ネットワーク側の装置が移動端末の移動処理をサポートし、移動端末が接続される適切な基地局に対してＩＰパケットが転送されるように制御を行うことが検討されている。また、電車やバスなどの乗り物に多数の移動端末が存在する場合、乗り物の移動に伴う、多数の移動端末の個別の移動処理を避けるために、モバイルルータを用いたネットワークモビリティが検討されている。
【０００３】
ここで、上述した検討されている内容について図８を用いて説明する。図８に示すように、ネットワークは、外部ネットワークとの接続点となる接続局（ＭＡＰ：Mobility Anchor Point）と無線基地局（ＢＳ：Base Station）とが中継装置としてのルータを介して接続されるアクセスネットワークである。このようなネットワークの領域を以降、Ｎｅｔｌｍｍドメインと呼ぶ。このＮｅｔｌｍｍドメインでは、移動端末（ＭＨ：Mobile Host）あてのＩＰパケットはＭＡＰを経由してＭＨが接続されるＢＳに対して送信される。ＭＨはこのＮｅｔｌｍｍドメイン内を移動する場合にＩＰアドレスを変更する必要はない。なお、ＭＡＰとＢＳ間はＩＰ−ｉｎ−ＩＰトンネルされているとする。ただし、移動に伴い別のアクセスネットワーク（Ｎｅｔｌｍｍドメイン）に移動した場合は、ＭＨは別のＩＰアドレス（ＣｏＡ：Care of Address）を取得することになる。
【０００４】
図８において現在ＣＮとＭＨが通信を行っているとする。この場合、ＭＨはＭＡＰから（このＮｅｔｌｍｍドメインから）ＣｏＡ＿ＭＨ（ＭＡＰ）を取得して通信しているとする。同様に、このＮｅｔｌｍｍドメインに接続するモバイルルータ(ＭＲ：Mobile Router)もＣｏＡ＿ＭＲ（ＭＡＰ）を取得しているとする。この状態で乗り物である電車が移動してきて、ＭＨがＭＲの圏内に入ったときＭＨが新たにＭＲに接続するとする。このときＭＲはＭＨから見るとＮｅｔｌｍｍドメインからの移動となるため、これまで使用していたＣｏＡ＿ＭＨ（ＭＡＰ）をそのまま使用することはできない。このため通常ＭＩＰ（Mobile IP）を用いたＭＨの移動制御が行われる。
【０００５】
この場合のシーケンスを図９に示す。ＭＨとＭＲはそれぞれ自身のＨＡ（Home Agent）であるＨＡ、ＨＡ＿ＭＲを有し、これらを介して通信を行っているとする（Ｓ９０１、Ｓ９０２）。このとき、ＨＡ−ＭＨ間、ＨＡ＿ＭＲ−ＭＲ間はＩＰトンネルが構成されている。ＭＨがＭＲのビーコン受信後（Ｓ９０３）、ＭＲへリンク接続を変更したとする（Ｓ９０４）。ＭＨはその後、ＲＳ（Router Solicitation）、ＲＡ（Router Advertisement）によりＭＲのＰｒｅｆｉｘ（プレフィックス）を受信し（Ｓ９０５、Ｓ９０６）、自身の新たなＣｏＡ＿ＭＨ（ＭＲ）を構成した後、ＤＡＤ（Duplicate Address Detection）によりそのＩＰアドレスの重複を確認する（Ｓ９０７）。これによりアドレスの重複がないと確認できると、新たなアドレスを用いてＨＡにＢＵ（Binding Update）を行い（Ｓ９０８）、その後は、ＨＡ＿ＭＲ、ＭＲ経由でパケットの送受信を行うようになる（Ｓ９０９）。この場合、ＢＵが終わるまでの間、パケットロスが発生する。
【０００６】
このようなＭＩＰ使用時のハンドオーバ時間の高速化とパケットロスの低減のために通常ＦＭＩＰ（Fast MIP）の使用が検討される。ＦＭＩＰ使用時のシーケンスを図１０に示す。図１０に示すように、ＭＲからのビーコン情報に基づいてＭＨはＲｔＳｏｌＰｒを送信する（Ｓ１００１）。このメッセージにはＬＬＡ（Link Local Address）情報が含まれているとする。ＭＡＰ(PAR)は、このＬＬＡ情報よりＨｏＡ＿ＭＲ、ＭＮＰ（Mobile Network Prefix）を取得し、ＰｒＲｔＡｄｖによりＭＮＰの情報をＭＨに送信する（Ｓ１００２）。このＰｒｅｆｉｘよりＣｏＡを生成したＭＨはＦＢＵ（Fast BU）をＭＡＰに送信する（Ｓ１００３）。ＭＡＰはＨｏＡ＿ＭＲにＨＩ（Handover Iniciate）を送信する（Ｓ１００４）。これはＨＡ＿ＭＲにトンネルされてＭＲに通知された後、ＭＲからＨａｃｋ（Handover ack）が返ってくる（Ｓ１００５）。
【０００７】
これを受信したＭＡＰはＦＢａｃｋ（Fast Binding ack）をＭＨに送信する（Ｓ１００６）。その後、ＭＡＰはＭＨ用のＣｏＡ＿ＭＨ(ＭＡＰ)のＩＰパケットを受信するとＦＢＵで通知されたＮＣｏＡ（New ＣｏＡ）であるＣｏＡ＿ＭＨ(ＭＲ)でカプセル化して送信する（Ｓ１００７）。これはＨＡ＿ＭＲを経由してＭＲに届き、ここでバッファリングされる（Ｓ１００８）。ＭＨがＭＲに移動してＦＮＡ（Fast Neighbor Advertisement）を送信する（Ｓ１００９）ことでこのバッファされたフレームがＭＨに送信される（Ｓ１０１０）。ＭＨはＭＲに接続後、ＢＵをＨＡに行う（Ｓ１０１１）ことでＨＡから新たなＣｏＡ＿ＭＨ(ＭＲ)あてのパケットが送信されるようになる。あらかじめＮＣｏＡを取得し、移動時の新しいアドレスを使用するまでの時間を短縮するとともに、さらにパケットをバッファすることでパケットロスの可能性を減らしている。
【非特許文献１】J.Kempf, "Goals for Network-based Localized Mobility Management",draft-ietf-netlmm-nohost-req-04.txt, August, 2006
【非特許文献２】J. Kempf,"Problem Statement for Network-based Localized Mobility Management",draft-ietf-netlmm-nohost-ps-04.txt, June, 2006
【発明の開示】
【発明が解決しようとする課題】
【０００８】
しかしながら、このようなＦＭＩＰをＮｅｔｌｍｍドメインにおけるＭＲへの移動に適用した場合、例えば、ＭＨとＭＲが同じＢＳに接続していたとしても、非常に冗長なトンネルが構成され、遅延が増加するという問題がある。
【０００９】
本発明は、上記の問題点に鑑み、冗長なトンネルの構成を回避し、遅延を低減させることができる移動通信方法及びその方法で用いられるエッジ装置を提供することを目的とする。
【課題を解決するための手段】
【００１０】
上記目的を達成するために、本発明によれば、移動端末が接続可能な基地局装置と、外部ネットワークの接続点であるエッジ装置とを含むアクセスネットワークで、前記基地局装置に接続するモバイルルータが存在する場合に、前記移動端末が、接続する前記基地局装置から前記モバイルルータにハンドオーバする際の移動通信方法であって、前記エッジ装置が、前記モバイルルータのアドレス及び前記モバイルルータにおける新たな前記移動端末のアドレスを取得するステップと、前記エッジ装置が、取得された前記モバイルルータのアドレスが自身の所定の記憶領域に存在するか否かを判断するステップと、前記アドレスが存在すると判断された場合に、前記エッジ装置が、前記移動端末あてのパケットを前記新たな前記移動端末のアドレスでカプセル化し、カプセル化された前記パケットのあて先を示すヘッダに取得された前記モバイルルータのアドレスを付加し、前記基地局装置に送信するステップと、前記基地局装置が、受信した前記パケットのあて先に基づいて、前記パケットを前記モバイルルータに送信するステップとを、有する移動通信方法が提供される。この構成により、冗長なトンネルの構成を回避し、遅延を低減させることができる。なお、基地局装置は後述するＢＳに相当する。
【００１１】
また、本発明の移動通信方法において、前記エッジ装置が、前記移動端末あてのパケットを前記新たな前記移動端末のアドレスでカプセル化する際、カプセル化された前記パケットのあて先を示すヘッダに取得された前記モバイルルータのアドレス及び前記移動端末のアドレスを付加し、前記基地局装置に送信し、前記基地局装置が、受信した前記パケットのあて先に基づいて、前記パケットを前記モバイルルータ及び前記移動端末に送信することは、本発明の好ましい態様である。この構成により、ＭＨのソフトハンドオーバに対応することができる。
【００１２】
また、本発明によれば、移動端末が接続可能な基地局装置と、外部ネットワークの接続点であるエッジ装置とを含むアクセスネットワークで、前記基地局装置に接続するモバイルルータが存在する場合に、前記移動端末が、接続する前記基地局装置から前記モバイルルータにハンドオーバする際の移動通信方法で用いられる前記エッジ装置であって、前記モバイルルータのアドレス及び前記モバイルルータにおける新たな前記移動端末のアドレスを取得する取得手段と、取得された前記モバイルルータのアドレスが自身の所定の記憶領域に存在するか否かを判断する判断手段と、前記アドレスが存在すると判断された場合に、前記移動端末あてのパケットを前記新たな前記移動端末のアドレスでカプセル化し、カプセル化された前記パケットのあて先を示すヘッダに取得された前記モバイルルータのアドレスを付加し、前記基地局装置に送信する制御手段とを、備えるエッジ装置が提供される。この構成により、冗長なトンネルの構成を回避し、遅延を低減させることができる。
【００１３】
また、本発明のエッジ装置において、前記制御手段が、前記移動端末あてのパケットを前記新たな前記移動端末のアドレスでカプセル化する際、カプセル化された前記パケットのあて先を示すヘッダに取得された前記モバイルルータのアドレス及び前記移動端末のアドレスを付加し、前記基地局装置に送信することは、本発明の好ましい態様である。この構成により、ＭＨのソフトハンドオーバに対応することができる。
【００１４】
また、本発明によれば、移動端末が接続可能な基地局装置と、外部ネットワークの接続点であるエッジ装置とを含むアクセスネットワークで、前記基地局装置に接続するモバイルルータに接続する前記移動端末が、前記モバイルルータから前記基地局装置にハンドオーバする際の移動通信方法であって、前記エッジ装置が、前記移動端末のホームエージェントのホストＩＤを取得するステップと、前記エッジ装置が、前記移動端末のホームエージェントのホストＩＤの取得に基づいて、前記ホームエージェントに自身のアドレス情報を通知するステップと、前記ホームエージェントが、通知された前記アドレス情報に基づいて前記移動端末へのパケットをカプセル化し、カプセル化された前記パケットを前記エッジ装置に送信するステップとを、有する移動通信方法が提供される。この構成により、冗長なトンネルの構成を回避し、遅延を低減させることができる。
【００１５】
また、本発明によれば、移動端末が接続可能な基地局装置と、外部ネットワークの接続点であるエッジ装置とを含むアクセスネットワークで、前記基地局装置に接続するモバイルルータに接続する前記移動端末が、前記モバイルルータから前記基地局装置にハンドオーバする際の移動通信方法で用いられる前記エッジ装置であって、前記移動端末のホームエージェントのホストＩＤを取得する取得手段と、前記移動端末のホームエージェントのホストＩＤの取得に基づいて、前記ホームエージェントに自身のアドレス情報を通知する通知手段と、通知された前記アドレス情報に基づいて前記ホームエージェントによってカプセル化された前記移動端末へのパケットを前記ホームエージェントから受信する受信手段と、受信された前記パケットをバッファリングする制御手段とを、備えるエッジ装置が提供される。この構成により、冗長なトンネルの構成を回避し、遅延を低減させることができる。
【発明の効果】
【００１６】
本発明の移動通信方法及びその方法で用いられるエッジ装置は、上記構成を有し、冗長なトンネルの構成を回避し、遅延を低減させることができる。
【発明を実施するための最良の形態】
【００１７】
＜第１の実施の形態＞
以下、本発明の第１の実施の形態について図１から図５を用いて説明する。図１は本発明の第１の実施の形態における移動端末（ＭＨ）の移動時のシーケンスの一例について説明するためのシーケンスチャートである。図２は本発明の第１の実施の形態における移動端末（ＭＨ）の移動時の他のシーケンスの一例について説明するためのシーケンスチャートである。図３は本発明の第１の実施の形態におけるＭＡＰのテーブルの一例を示す図である。図４は本発明の第１の実施の形態におけるＢＳのテーブルの一例を示す図である。図５は本発明の第１の実施の形態に係るエッジ装置（ＭＡＰ）の構成の一例を示す構成図である。
【００１８】
本発明の第１の実施の形態における通信ネットワークは、従来技術において説明した通信ネットワークであり、その図８を参照しつつ、本発明の第１の実施の形態における移動端末ＭＨの移動時のシーケンスの一例について図１を用いて説明する。図１に示すように、まず、ＭＨはＭＲからビーコン情報（ＣｏＡ＿ＭＲ、ＭＮＰ）を受信する（Ｓ１０１）。そして、ＭＡＰはＲｔＳｏｌＰｒを通じてＣｏＡ＿ＭＲを取得する（Ｓ１０２）。なお、ＭＡＰはＭＨを介さずにＭＲから直接通知してもらうようにしてもよい。ＣｏＡ＿ＭＲを取得したＭＡＰは、そのＰｒｅｆｉｘが自身のＮｅｔｌｍｍドメインのＰｒｅｆｉｘである場合、ＭＲのＣｏＡ＿ＭＲ(ＭＡＰ)（ＭＡＰによって与えられたＭＲのＣｏＡ）が自身のテーブルに記述されていると判断する。このため、ＭＲが接続されているＢＳのＩＰアドレス（ＩＰ＿ＢＳ）を使用したＩＰトンネルにより該当のＢＳを通じてＨＩを送信する（Ｓ１０３）。なお、ＭＡＰ及びＢＳのテーブルについては後述する。
【００１９】
ＭＲはこのＨＩを受信すると、Ｈａｃｋを自身のデフォルトルータに見えるＭＡＰに対して返信する（Ｓ１０４）。このとき、ＭＡＰのテーブル内に、ＭＮＰに対してＣｏＡ＿ＭＲ(ＭＡＰ)を登録しておく。ＭＡＰはＦＢａｃｋを送信し、ＭＨはリンク接続を変更（Ｌ２リンク変更）する。ＦＢａｃｋを送信したＭＡＰは、以降ＣｏＡ＿ＭＨ(ＭＡＰ)あてのパケットをＦＢＵで通知されたＣｏＡ＿ＭＨ(ＭＲ)でカプセル化する。ＣｏＡ＿ＭＨ(ＭＲ)あてにパケットを送信する場合、ＭＡＰのテーブルにＣｏＡ＿ＭＲ(ＭＡＰ)が登録されているため、ＣｏＡ＿ＭＲ(ＭＡＰ)をオプションヘッダに追加したヘッダを構成し、テーブルのＣｏＡ＿ＭＲ(ＭＡＰ)よりＩＰ＿ＢＳを検索し、ＢＳに対してパケットを転送する（Ｓ１０５）。
【００２０】
ＢＳではあて先のＣｏＡ＿ＭＨ(ＭＲ)が登録されていないためＬＬＡを決定できないが、オプションヘッダに記載されたＣｏＡ＿ＭＲ(ＭＡＰ)によりＬ２ ＭＲ（モバイルルータのＬ２アドレス）を取得し、ＭＲに対してパケットを送信する（Ｓ１０６）。このときＢＳはオプションヘッダを削除する。ＭＲは自身のＭＮＰをあて先とするパケットを受信するため、ＨＩによって設定されているバッファリングを行う（Ｓ１０７）。ＭＨが移動してきてＦＮＡを出力する（Ｓ１０８）とＭＲはバッファリングされた情報を転送する（Ｓ１０９）。それ以降は上述した従来の処理と同様である。
【００２１】
また、上述した方法以外の方法について図２を用いて説明する。まず、ＭＨはＭＲからビーコン情報（ＣｏＡ＿ＭＲ、ＭＮＰ）を受信する（Ｓ２０１）。そして、ＭＡＰはＲｔＳｏｌｐｒを通じてＣｏＡ＿ＭＲを取得する（Ｓ２０２）。なお、上述したように、ＭＡＰはＭＨを介さずにＭＲから直接通知してもらうようにしてもよい。ＣｏＡ＿ＭＲを取得したＭＡＰは、そのＰｒｅｆｉｘが自身のＮｅｔｌｍｍドメインのＰｒｅｆｉｘである場合、ＭＲのＣｏＡ＿ＭＲ(ＭＡＰ)が自身のテーブルに記述されていると判断する。このため、ＭＲが接続されているＢＳのＩＰアドレス（ＩＰ＿ＢＳ）を使用したＩＰトンネルにより該当のＢＳを通じてＨＩを送信する（Ｓ２０４）。このとき、ＭＨはＭＲへリンク接続を変更（Ｌ２リンク変更）する（Ｓ２０３）。
【００２２】
ＭＲはＨＩを受信すると、Ｈａｃｋを自身のデフォルトルータに見えるＭＡＰに対して返信する（Ｓ２０５）。このとき、ＭＡＰのテーブル内に、ＭＮＰに対してＣｏＡ＿ＭＲ(ＭＡＰ)を登録しておく。ＦＢａｃｋを送信したＭＡＰは、以降ＣｏＡ＿ＭＨ(ＭＡＰ)あてのパケットをＦＢＵで通知されたＣｏＡ＿ＭＨ(ＭＲ)でカプセル化する。ＣｏＡ＿ＭＨ(ＭＲ)あてにパケットを送信する場合、ＭＡＰのテーブルにＣｏＡ＿ＭＲ(ＭＡＰ)、ＣｏＡ＿ＭＨ(ＭＡＰ)が登録されているため、ＣｏＡ＿ＭＲ(ＭＡＰ)、ＣｏＡ＿ＭＨ(ＭＡＰ)をオプションヘッダに追加したヘッダを構成し、テーブルのＣｏＡ＿ＭＲ(ＭＡＰ)、ＣｏＡ＿ＭＨ(ＭＡＰ)よりＩＰ＿ＢＳを検索し、ＢＳに対してパケットを転送する（Ｓ２０６）。
【００２３】
ＢＳではあて先のＣｏＡ＿ＭＨ(ＭＲ)が登録されていないためＬＬＡを決定できないが、オプションヘッダに記載されたＣｏＡ＿ＭＲ(ＭＡＰ)、ＣｏＡ＿ＭＨ(ＭＡＰ)によりＬ２ ＭＲ、Ｌ２ ＭＨを取得し、ＭＲとＭＨに対してそれぞれパケットを送信する（Ｓ２０７）。このときＢＳはオプションヘッダを削除する。ＭＲは自身のＭＮＰをあて先とするパケットを受信するため、ＨＩによって設定されているバッファリングを行う（Ｓ２０８）。ＭＨがＦＮＡを出力する（Ｓ２０９）と、ＭＲはバッファリングされた情報を転送する（Ｓ２１０）。それ以降は上述した従来の処理と同様である。
【００２４】
ここで、上述したＭＡＰ及びＢＳのテーブルの一例について図３及び図４を用いて説明する。図３に示すように、ＭＡＰのテーブルには、ＣｏＡ＿ＭＨ(ＭＡＰ)とＣｏＡ＿ＭＲ(ＭＡＰ)のそれぞれに対して転送先のＢＳのアドレスが格納されている。また、ＣｏＡ＿ＭＨ(ＭＡＰ)に対してはＣｏＡ＿ＭＨ(ＭＲ)が対応付けられ、ＭＮＰに対してはＣｏＡ＿ＭＲ(ＭＡＰ)が対応付けられて格納されている。また、図４に示すように、ＢＳのテーブルには、ＣｏＡ＿ＭＨ(ＭＡＰ)に対する転送先を示すＬ２ ＭＨ、ＣｏＡ＿ＭＲ(ＭＡＰ)に対する転送先を示すＬ２ ＭＲが格納されている。
【００２５】
次に、本発明の第１の実施の形態に係るエッジ装置（ＭＡＰ）の構成の一例について図５を用いて説明する。図５に示すように、エッジ装置は、受信手段５０１、取得手段５０２、判断手段５０３、制御手段５０４、通知手段５０５、記憶手段５０６から構成されている。なお、エッジ装置の構成はこれに限られるものではない。
【００２６】
受信手段５０１は、外部からパケットなどを受信するものであり、例えば図１及び図２に示すようにＭＨから送信されるＲｔＳｏｌＰｒ、ＦＢＵ、Ｈａｃｋなどを受信する。取得手段５０２は、受信手段５０１によって受信されたＲｔＳｏｌＰｒから、ＭＲのアドレス（ＣｏＡ＿ＭＲ(ＭＡＰ)）や該当プレフィックスによって生成されるＮＣｏＡを取得するものである。これにより、ＭＡＰはＨＩの送信先が自身の配下であることを知る。なお、ＣｏＡ＿ＭＲ(ＭＡＰ)はＭＡＰとＨＡ＿ＭＲとの間の通信により得られるＨｏＡ＿ＭＲからＣｏＡ＿ＭＲ(ＭＡＰ)を取得するようにしてもよい。
【００２７】
判断手段５０３は、取得されたＣｏＡ＿ＭＲ(ＭＡＰ)が自身の記憶手段５０６の上述したテーブルに存在するか否かを判断するものである。制御手段５０４は、判断手段５０３によってテーブルにアドレスが存在すると判断された場合に、ＭＨあてのパケットをＦＢＵにより通知される新たなＭＨのアドレス（ＮＣｏＡ）でカプセル化し、カプセル化されたパケットのあて先を示すヘッダに取得されたアドレス（ＣｏＡ＿ＭＲ(ＭＡＰ)）を付加し、ＢＳに送信するものである。後述する通知手段５０５がカプセル化されたパケットを送信してもよい。なお、制御手段５０４は、ＭＨあてのパケットをＦＢＵにより通知される新たなＭＨのアドレスでカプセル化する際、カプセル化されたパケットのあて先を示すヘッダに取得されたアドレス及びＭＨのアドレス（ＣｏＡ＿ＭＨ(ＭＡＰ)）を付加し、図２のＳ２０６に示すように、ＢＳに送信するようにしてもよい。
【００２８】
通知手段５０５は、外部の装置に情報を通知するものであって、パケットなどを送信するものに相当する。記憶手段５０６は、上述したようなテーブルを格納したり、エッジ装置の動作を制御するための制御情報などを格納したりする。
【００２９】
＜第２の実施の形態＞
第２の実施の形態は、ＭＨがＭＲに接続してＨＡと通信を行っているときにＭＨがＭＲから移動してＢＳに接続する場合であって、そのような場合について図１１を用いて説明する。まず、図１１に示されたトンネルについて説明する。トンネル１１１はＭＡＰとＢＳとの間に構成されたトンネルである。トンネル１１２はＨＡ＿ＭＲとＭＲ[ＣｏＡ＿ＭＲ(ＭＡＰ)]との間に構成されたトンネルである。ここで、ＭＲ[]は、括弧内のアドレスにおけるＭＲということを示す。トンネル１１３はＭＨ[ＣｏＡ＿ＭＨ(ＭＡＰ)]とＭＲとの間に構成されたトンネルである。トンネル１１４はＨＡとＭＨ[ＣｏＡ＿ＭＨ(ＭＡＰ)]との間に構成されたトンネルである。トンネル１１５はＨＡとＭＨ[ＣｏＡ＿ＭＨ(ＭＲ)]との間に構成されたトンネルである。
【００３０】
図１１に示すように、ＭＲに接続しているＭＨがＢＳからビーコンを受信する（Ｓ１１０１）。ＭＨはＭＲとの間でＲｔＳｏｌＰｒ、ＰｒＲｔＡｄｖ、ＦＢＵのやりとりを行い、ＭＲはＨＩをＭＡＰに対して送信し（Ｓ１１０２）、ＭＡＰはＨＩに対するＨａｃｋをＭＲに送信する（Ｓ１１０３）。ＭＲはＭＨにＦＢａｃｋを送信する（Ｓ１１０４）。
【００３１】
ここで、ＨＡがＣｏＡ＿ＭＲ(ＭＡＰ)あてにパケットを送信すると、パケットを受信したＭＲはＭＡＰ、ＢＳを経由させてＣｏＡ＿ＭＨ(ＭＡＰ)あてにパケットを送信するようにパケットを構成して送信する（Ｓ１１０５）。そして、ＭＡＰではＨＩによって設定されているバッファリングを行う（Ｓ１１０６）。ＭＨがＦＮＡを出力する（Ｓ１１０７）と、ＭＡＰはバッファリングされた情報を転送する（Ｓ１１０８）。その後、ＨＡはＨＡ＿ＭＲ、ＭＡＰ、ＢＳ、ＭＲ、ＢＳ、ＭＡＰ、ＢＳを経由してＭＨと通信を行うことになる。このような場合、冗長な経路が発生してしまう。そこで、以下で説明するような方法によって冗長な経路を回避することができる。
【００３２】
まず、１つ目の方法について図６を用いて説明する。まず、図６に示されたトンネルについて説明する。トンネル６１はＭＡＰとＢＳとの間に構成されたトンネルである。トンネル６２はＨＡ＿ＭＲとＭＲ[ＣｏＡ＿ＭＲ(ＭＡＰ)]との間に構成されたトンネルである。トンネル６３はＭＡＰとＨＡとの間に構成されたトンネルである。トンネル６４はＭＨ[ＣｏＡ＿ＭＨ(ＭＡＰ)]とＭＡＰとの間に構成されたトンネルである。トンネル６５はＨＡとＭＨ[ＣｏＡ＿ＭＨ(ＭＡＰ)]との間に構成されたトンネルである。トンネル６６はＨＡとＭＨ[ＣｏＡ＿ＭＨ(ＭＲ)]との間に構成されたトンネルである。
【００３３】
図６に示すように、ＭＡＰがＭＲからＨＩを受信すると、ＭＡＰはＨＡに対してホストＩＤを問い合わせるためのＨｏｓｔ ＩＤリクエストを送信する（Ｓ６０１）。なお、このホストＩＤの問い合わせはＨＡに行わず、別のサーバなどに行うようにしてもよい。Ｈｏｓｔ ＩＤリクエストを受信したＨＡは、その問い合わせに対する応答であるＨｏｓｔ ＩＤレスポンスを送信する（Ｓ６０２）。このＨｏｓｔ ＩＤレスポンスにはホストＩＤが含まれている。
【００３４】
Ｈｏｓｔ ＩＤレスポンスを受信したＭＡＰはＨａｃｋをＭＲに送信し（Ｓ６０３）、ＭＲはＦＢａｃｋをＭＨに送信する（Ｓ６０４）。ここで、ＭＡＰはＨＡに対して２重のカプセル化をさせるためにＣｏＡを通知するＰＢＵ（Pre-Binding Update）を送信する（Ｓ６０５）。ＨＡはＰＢＵに対する応答であるＰＢａｃｋをＭＡＰに送信する（Ｓ６０６）。そして、ＨＡはＭＡＰに対してＰＢＵの情報によって２重のカプセル化を実施してパケットを送信する（Ｓ６０７）。ＭＡＰではＨＩによって設定されているバッファリングを行う（Ｓ６０８）。ＭＨがＦＮＡを出力する（Ｓ６０９）と、ＭＡＰはバッファリングされた情報を転送する（Ｓ６１０）。ここで、トンネル６４はＣｏＡ＿ＭＨ(ＭＡＰ)とＭＡＰとの間に構成されているため、ＭＡＰはＭＨからのパケットをトンネル６３を用いて転送する。その後、ＨＡはＭＨからのＢＵによって２重のカプセル化を止める。
【００３５】
２つ目の方法について図７を用いて説明する。まず、図７に示されたトンネルについて説明する。トンネル７１はＭＡＰとＢＳとの間に構成されたトンネルである。トンネル７２はＨＡ＿ＭＲとＭＲ[ＣｏＡ＿ＭＲ(ＭＡＰ)]との間に構成されたトンネルである。トンネル７３はＭＡＰとＨＡとの間に構成されたトンネルである。トンネル７４はＭＨ[ＣｏＡ＿ＭＨ(ＭＡＰ)]とＭＲ[ＣｏＡ＿ＭＲ(ＭＡＰ)]との間に構成されたトンネルの一部である。トンネル７５はＨＡとＭＨ[ＣｏＡ＿ＭＨ(ＭＡＰ)]との間に構成されたトンネルである。トンネル７６はＨＡとＭＨ[ＣｏＡ＿ＭＨ(ＭＲ)]との間に構成されたトンネルである。
【００３６】
２つ目の方法では上述した１つ目の方法のＳ６１０の後、ＭＡＰは自身で折り返さずにＨＡにパケットを転送する。すなわち、ＭＡＰがＭＨからのパケットを折り返さずにＨＡに転送するようにしたものである。
【００３７】
次に、第２の実施の形態に係るエッジ装置（ＭＡＰ）の構成の一例について説明する。第２の実施の形態のエッジ装置の構成は第１の実施の形態のエッジ装置の構成と同様であるため図５を用いて説明する。受信手段５０１は、第１の実施の形態と同様、外部からパケットなどを受信するものであり、例えば図６及び図７に示すようにＭＲから送信されるＨＩやＨＡから送信されるホストＩＤレスポンスなどを受信する。また、受信手段５０１は、後述する通知手段５０５によって通知されたアドレス情報に基づいてＨＡによってカプセル化されたＭＨへのパケットをＨＡから受信する。
【００３８】
取得手段５０２は、図６及び図７に示すように、受信手段５０１によって受信されたホストＩＤレスポンスに含まれるＨＡのホストＩＤを取得する。通知手段５０５は、取得手段５０２によるＨＡのホストＩＤの取得に基づいて、ＨＡに自身のアドレス情報をＰＢＵとして通知する。制御手段５０４は受信されたパケットをバッファリングする。その後、ＭＨからのＦＮＡを受信することによってバッファリングされたパケットをＭＨへ転送する。記憶手段５０６は、上述したようなテーブルを格納したり、エッジ装置の動作を制御するための制御情報などを格納したりする。
【００３９】
なお、上記各実施の形態の説明に用いた各機能ブロックは、典型的には集積回路であるＬＳＩとして実現される。これらは個別に１チップ化されてもよいし、一部又はすべてを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。さらには、半導体技術の進歩又は派生する別技術によりＬＳＩに置き換わる集積回路化の技術が登場すれば、当然、その技術を用いて機能ブロックの集積化を行ってもよい。例えばバイオ技術の適応などが可能性としてあり得る。
【産業上の利用可能性】
【００４０】
本発明に係る移動通信方法及びその方法で用いられるエッジ装置は、冗長なトンネルの構成を回避し、遅延を低減させることができるため、電車などの乗り物における移動において、個々の移動制御を行うことなくグループとしての移動制御を行う移動通信方法及びその方法で用いられるエッジ装置などに有用である。
【図面の簡単な説明】
【００４１】
【図１】本発明の第１の実施の形態における移動端末（ＭＨ）の移動時のシーケンスの一例について説明するためのシーケンスチャート
【図２】本発明の第１の実施の形態における移動端末（ＭＨ）の移動時の他のシーケンスの一例について説明するためのシーケンスチャート
【図３】本発明の第１の実施の形態におけるＭＡＰのテーブルの一例を示す図
【図４】本発明の第１の実施の形態におけるＢＳのテーブルの一例を示す図
【図５】本発明の第１の実施の形態に係るエッジ装置（ＭＡＰ）の構成の一例を示す構成図
【図６】本発明の第２の実施の形態における移動端末（ＭＨ）の移動時のシーケンスの一例について説明するためのシーケンスチャート
【図７】本発明の第２の実施の形態における移動端末（ＭＨ）の移動時の他のシーケンスの一例について説明するためのシーケンスチャート
【図８】従来の通信ネットワークの構成を示す図
【図９】従来の移動端末（ＭＨ）の移動時のシーケンスの一例について説明するためのシーケンスチャート
【図１０】従来の移動端末（ＭＨ）の移動時の他のシーケンスの一例について説明するためのシーケンスチャート
【図１１】従来の移動端末（ＭＨ）の移動時の他のシーケンスの一例について説明するためのシーケンスチャート
【符号の説明】
【００４２】
６１、６２、６３、６４、６５、６６、７１、７２、７３、７４、７５、７６、１１１、１１２、１１３、１１４、１１５  トンネル
５０１  受信手段
５０２  取得手段
５０３  判断手段
５０４  制御手段
５０５  通知手段
５０６  記憶手段
【図１】
2008085495.tif 000003
【図２】
2008085495.tif 000004
【図３】
2008085495.tif 000005
【図４】
2008085495.tif 000006
【図５】
2008085495.tif 000007
【図６】
2008085495.tif 000008
【図７】
2008085495.tif 000009
【図８】
2008085495.tif 000010
【図９】
2008085495.tif 000011
【図１０】
2008085495.tif 000012
【図１１】
2008085495.tif 000013